(57)【要約】【解決手段】荷台１１にバイク若しくはバギー等の積載物を積載することのできる車両１０において、荷台１１のあおり３１に凹部３２を設け、この凹部３２にバイク若しくはバギー等の積載時に使用するラダーレール３３を収納できるようにした。【効果】荷台のあおりに凹部を設け、この凹部にバイク若しくはバギー等の積載時に使用するラダーレールを収納できるようにしたので、荷台にバイク若しくはバギー等の積載物を積載する積載スペースを広げることができる。この結果、荷台に大きな積載物を積載することができる。【選択図】        図２
2004148875.tif 000002
【特許請求の範囲】
【請求項１】
荷台にバイク若しくはバギー等の積載物を積載することのできる車両において、
前記荷台のあおりに凹部を設け、この凹部に前記バイク若しくはバギー等の積載時に使用するラダーレールを収納できるようにしたことを特徴とする車両のラダーレール収納構造。
【請求項２】
前記ラダーレールに、収納時に前記あおりと同一平面を構成するカバー部材を設けたことを特徴とする請求項１記載の車両のラダーレール収納構造。
【請求項３】
前記荷台の後端部に、前記ラダーレールの先端を掛ける溝を設けるとともに、ラダーレールに前記溝に嵌合させる突起を設けたことを特徴とする請求項１又は請求項２記載の車両のラダーレール収納構造。
【請求項４】
前記溝に、着脱自在の溝カバーを備えたことを特徴とする請求項３記載の車両のラダーレール収納構造。
【発明の詳細な説明】
【０００１】
【発明の属する技術分野】
本発明は、荷台のあおり（側壁）にラダーレールを収納することのできる車両のラダーレール収納構造に関する。
【０００２】
【従来の技術】
前記国際特許分類を調査分野として、先行技術文献情報の調査を実施したが、該当する文献を見出すことはできなかった。本発明が、ごく特殊な分野の技術であることがその理由であると思われる。
そこで、本発明者等は、先行技術文献情報に代えて、従来の技術を図面を用いて説明する。
【０００３】
図９は従来の車両のラダーレール積載方法の一例を示す説明図である。
車両のラダーレール積載方法は、車両１００の荷台１０１にバイク若しくはバギー等の積載物（不図示）を積載し、荷台１１の空いた部分にラダーレール１０３，１０３を積載するものであり、特に、ラダーレール１０３，１０３を積載するための配慮をした構造ではなかった。
【０００４】
【発明が解決しようとする課題】
しかし、上記の車両のラダーレール積載方法では、ラダーレール１０３，１０３をバイクやバギーと一緒の荷台１０１に積載するために、バイクやバギーの積載スペースが損なわれることがある。すなわち、バイクやバギー等を積載するスペースを広く設定したいものである。
また、バイクやバギー等の積載物がない時にも、ラダーレール１０３，１０３を荷台１０１に積載することになり、荷台１０１が煩雑になるということもある。すなわち、荷台１０１をすっきりと整理したいものである。
【０００５】
そこで、本発明の目的は、荷台をすっきりと整理できるとともに、バイクやバギーなどの積載物の積載スペースを広く設定できる車両のラダーレール収納構造を提供することにある。
【０００６】
【課題を解決するための手段】
上記目的を達成するために請求項１の車両のラダーレール収納構造は、荷台にバイク若しくはバギー等の積載物を積載することのできる車両において、荷台のあおりに凹部を設け、この凹部にバイク若しくはバギー等の積載時に使用するラダーレールを収納できるようにしたことを特徴とする。
【０００７】
荷台をすっきりと整理できるとともに、バイクやバギーなどの積載物の積載スペースを広く設定できるとすれば、好ましいことである。
そこで、荷台のあおり（側壁）に凹部を設け、この凹部にバイク若しくはバギー等の積載時に使用するラダーレールを収納できるようにした。
すなわち、荷台のあおりに凹部を設け、この凹部にバイク若しくはバギー等の積載時に使用するラダーレールを収納できるようにすることで、荷台にバイク若しくはバギー等の積載物を積載する積載スペースを広げることができる。この結果、荷台に大きな積載物を積載することができる。
【０００８】
請求項２は、ラダーレールに、収納時にあおりと同一平面を構成するカバー部材を設けたことを特徴とする。
ラダーレールに、収納時にあおりと同一平面を構成するカバー部材を設けることで、荷台にラダーレールを見栄えよく積載することができる。
【０００９】
請求項３は、荷台の後端部に、ラダーレールの先端を掛ける溝を設けるとともに、ラダーレールに溝に嵌合させる突起を設けたことを特徴とする。
荷台の後端部に、ラダーレールの先端を掛ける溝を設けるとともに、ラダーレールに溝に嵌合させる突起を設けることで、荷台にラダーレールを掛けやすくすることができる。この結果、バイク若しくはバギー等の積載物の積載時の作業性の向上を図ることができる。
【００１０】
請求項４は、溝に、着脱自在の溝カバーを備えたことを特徴とする。
溝に、着脱自在の溝カバーを備えることで、溝にほこりや泥がたまることを防止することができる。この結果、荷台の外観の向上を図ることができる。
【００１１】
【発明の実施の形態】
本発明の実施の形態を添付図に基づいて以下に説明する。なお、「前」、「後」、「左」、「右」、「上」、「下」は運転者から見た方向に従い、Ｆｒは前側、Ｒｒは後側、Ｌは左側、Ｒは右側を示す。また、図面は符号の向きに見るものとする。
【００１２】
図１は本発明に係るラダーレール収納構造を搭載した車両の斜視図である。
図中、１０は車両、１１は荷台、１２は前輪、１３は後輪、１４はフロントバンパ、１５はドア、１６はドアガラス、１７フロントウインドウ、１８はサイドミラー、１９はヘッドライト、２１はナンバープレート、２２はフロントグリル、２３はルーフ、２４はルーフキャリヤ、２５はキャリヤパイプ、３１は荷台１１のあおりであり、車両のラダーレール収納構造は、荷台のあおりに凹部を設け、この凹部にバイク若しくはバギー等の積載時に使用するラダーレールを見栄えよく収納できるようにする構造である。なお、一般的に「あおり」とは、荷台の床枠の側を支点として、回転開閉できる構造の囲いを言う。
以下、車両のラダーレール収納構造３０を詳細を説明する。
【００１３】
図２は本発明に係るラダーレール収納構造の分解斜視図である。
車両のラダーレール収納構造３０は、荷台１１の左右のあおり３１，３１にそれぞれ形成した左右の凹部３２，３２と、これらの凹部３２，３２にそれぞれ収納する左右のラダーレール３３，３３と、荷台１１の後端部３４に設けることでラダーレール３３，３３を掛ける溝３５と、この溝３５に着脱自在に取付ける溝カバー３６とから構成するものである。
なお、凹部３２，３２は荷台１１のあおり３１の内側に形成した。また、凹部３２にラダーレール３３を収納した状態では、ラダーレール３３は、適宜方法にて荷台１１側に固定するものとする。
【００１４】
すなわち、車両のラダーレール収納構造３０は、荷台１１にバイク若しくはバギー等の積載物を積載することのできる車両１０において、荷台１１のあおり（側壁）３１に凹部３２を設け、この凹部３２にバイク若しくはバギー等の積載時に使用するラダーレール３３を収納できるようにしたものであると言える。
【００１５】
図３は本発明に係るラダーレール収納構造のラダーレール使用状態を示す斜視図である。
車両のラダーレール収納構造３０は、左右の凹部３２，３２からラダーレール３３，３３を取出し、これらのラダーレール３３，３３の先端を荷台１１の後端部３４に形成した溝３５に掛けて使用できることを示し、この溝３５は荷台１１の幅方向に沿って形成したものであり、例えば、積載物がバギーである場合、若しくはバイクである場合に応じて、左右のラダーレール３３，３３の間隔を矢印Ａ，Ａのように任意に設定できることを示す。
【００１６】
図４は本発明に係るラダーレール収納構造のラダーレールの斜視図である。
ラダーレール３３は、左右の支柱４１，４１と、これらの支柱４１，４１に渡した踏み板４２と、これらの踏み板４２に取付けた複数の滑り止め４３・・・（・・・は複数個を示す。以下同じ）と、左右の支柱４１，４１の一端に回転自在に取付けた突起４４，４４と、これらの突起４４，４４を所定の角度で止めるために左右の支柱４１，４１に形成したストッパ部４５，４５と、左右の支柱４１，４１の他端に形成した地面接地部４６と、収納時にあおり３２（図２参照）と同一平面を構成するカバー部材４７と、からなる。なお、４８は突起４４を回転自在に支持するピン、４９は突起４４を支柱４１の長手に沿って収納するために支柱４１に形成した収納部である。
【００１７】
図５は本発明に係るラダーレール収納構造のラダーレール収納状態を示す側面図。
地上接地部４６は、左右の支柱接地部５１，５１と、これらの支柱接地部５１，５１よりも引っ込めた中央接地部５２とから構成することで、ラダーレール３３を凹部３２に収納したときに、この凹部３２との間に隙間５３を形成するためのものである。すなわち、中央接地部５２は、凹部３２に収納したラダーレール３３を引出すために手を掛けることのできる手がかり部の役目をなす。
【００１８】
また、車両のラダーレール収納構造３０は、ラダーレール３３に、凹部３２収納時にあおり３１と同一平面を構成するカバー部材４７を設けたものであると言える。
ラダーレール３３に、収納時にあおり３１と同一平面を構成するカバー部材４７を設けることで、荷台１１にラダーレール３３を見栄えよく積載することができる。
【００１９】
図６は本発明に係るラダーレール収納構造のラダーレール使用状態を示す側面図。
溝カバー３６は、溝３５に着脱自在に取付けたものである。従って、ラダーレール３３を凹部３２に収納したときは、溝３５に取付け、ラダーレール３３を凹部３２から取出したときは、荷台１１の溝３５から外し、荷台１１に溝３５を露出させるものである。
【００２０】
すなわち、車両のラダーレール収納構造３０は、溝３５に、着脱自在の溝カバー３６を備えたものであると言える。
溝３５に、着脱自在の溝カバー３６を備えることで、溝３５にほこりや泥がたまることを防止することができる。この結果、荷台１１の外観の向上を図ることができる。
【００２１】
また、車両のラダーレール収納構造３０は、荷台１１の後端部３４に、ラダーレール３３の先端を掛ける溝３５を設けるとともに、ラダーレール３３に溝３５に嵌合させる突起４４を設けたものであるとも言える。
荷台１１の後端部３４に、ラダーレール３３の先端を掛ける溝３５を設けるとともに、ラダーレール３３に溝３５に嵌合させる突起４４を設けることで、荷台１１にラダーレール３３を掛けやすくすることができる。この結果、バイク若しくはバギー等の積載物の積載時の作業性の向上を図ることができる。
【００２２】
以上に述べた車両のラダーレール収納構造３０の作用を次に説明する。
図７（ａ）〜（ｃ）は本発明に係るラダーレール収納構造の作用説明図（その１）である。
（ａ）において、荷台１１の凹部３２にラダーレール３３を収納した状態を示す。なお、凹部３２にラダーレール３３を収納した状態では、ラダーレール３３は、ねじ、バンド若しくはクランプ等の適宜方法で荷台１１側に固定したものである。
【００２３】
例えば、荷台をすっきりと整理できるとともに、バイクやバギーなどの積載物の積載スペースを広く設定できるとすれば、好ましいことである。
そこで、荷台１１のあおり３１に凹部３２を設け、この凹部３２にバイク若しくはバギー等の積載時に使用するラダーレール３３を収納できるようにした。
すなわち、荷台１１のあおり３１に凹部３２を設け、この凹部３２にバイク若しくはバギー等の積載時に使用するラダーレール３３を収納できるようにすることで、荷台１１にバイク若しくはバギー等の積載物を積載する積載スペースを広げることができる。この結果、荷台１１に大きな積載物を積載することができる。
【００２４】
（ｂ）において、ラダーレール３３の中央接地部５２に手を掛け、凹部３２からラダーレール３３を矢印▲１▼の如く引出す。
（ｃ）において、引出したラダーレール３３を荷台１１に置く。
【００２５】
図８（ａ），（ｂ）は本発明に係るラダーレール収納構造の作用説明図（その２）である。
（ａ）において、荷台１１の溝３５から溝カバー３６を矢印▲２▼の如く外し、溝３５を荷台に露出させる。
（ｂ）において、溝３５の所定の位置にラダーレール３３をセットする。なお、左のラダーレール３３（図３参照）も右のラダーレール３３と同様に、溝３５の所定の位置にセットする。
【００２６】
尚、実施の形態では図２に示すように、凹部３２にラダーレール３３を積載するようにしたが、これに限るものではなく、例えば、梯子のようなラダーレールに類似する部材を収納するものであってもよい。
また、荷台１１のあおり３１は、固定式の側壁であってもよい。
【００２７】
【発明の効果】
本発明は上記構成により次の効果を発揮する。
請求項１では、荷台のあおりに凹部を設け、この凹部にバイク若しくはバギー等の積載時に使用するラダーレールを収納できるようにしたので、荷台にバイク若しくはバギー等の積載物を積載する積載スペースを広げることができる。この結果、荷台に大きな積載物を積載することができる。
【００２８】
請求項２では、ラダーレールに、収納時にあおりと同一平面を構成するカバー部材を設けたので、荷台にラダーレールを見栄えよく積載することができる。
【００２９】
請求項３では、荷台の後端部に、ラダーレールの先端を掛ける溝を設けるとともに、ラダーレールに溝に嵌合させる突起を設けたので、荷台にラダーレールを掛けやすくすることができる。この結果、バイク若しくはバギー等の積載物の積載時の作業性の向上を図ることができる。
【００３０】
請求項４は、溝に、着脱自在の溝カバーを備えたので、溝にほこりや泥がたまることを防止することができる。この結果、荷台の外観の向上を図ることができる。
【図面の簡単な説明】
【図１】本発明に係るラダーレール収納構造を搭載した車両の斜視図
【図２】本発明に係るラダーレール収納構造の分解斜視図
【図３】本発明に係るラダーレール収納構造のラダーレール使用状態を示す斜視図
【図４】本発明に係るラダーレール収納構造のラダーレールの斜視図
【図５】本発明に係るラダーレール収納構造のラダーレール収納状態を示す側面図
【図６】本発明に係るラダーレール収納構造のラダーレール使用状態を示す側面図
【図７】本発明に係るラダーレール収納構造の作用説明図（その１）
【図８】本発明に係るラダーレール収納構造の作用説明図（その２）
【図９】従来の車両のラダーレール積載方法の一例を示す説明図
【符号の説明】
１０…車両、１１…荷台、３０…車両のラダーレール収納構造、３１…あおり、３２…凹部、３３…ラダーレール、３４…荷台の後端部、３５…溝、３６…溝カバー、４４…突起、４７…カバー部材。
【図１】
2004148875.tif 000003
【図２】
2004148875.tif 000004
【図３】
2004148875.tif 000005
【図４】
2004148875.tif 000006
【図５】
2004148875.tif 000007
【図６】
2004148875.tif 000008
【図７】
2004148875.tif 000009
【図８】
2004148875.tif 000010
【図９】
2004148875.tif 000011